(57)【特許請求の範囲】
【請求項１】
固有の識別子が付与された回線交換式の携帯端末と、
前記識別子を記憶した呼制御サーバが接続された構内間通信網と、
ＩＰ（Internet Protocol）アドレスが付与されたゲートウェイ装置を介して、前記構内間通信網と接続された構内ネットワークと、
前記ゲートウェイ装置が配置された構内に設置されて、前記構内に位置する前記携帯端末が前記構内ネットワークに無線接続されたことを検知する構内基地局と、
前記構内基地局に検知された前記携帯端末の前記識別子を、前記構内基地局を通じて取得する制御装置と、
前記制御装置が取得した前記識別子と、前記ゲートウェイ装置の前記ＩＰアドレスを、前記構内間通信網を通じて前記呼制御サーバに送信する代理登録装置と、
第二ＩＰアドレスが付与された第二ゲートウェイ装置を介して前記構内間通信網と接続された第二構内ネットワークと、
前記第二ゲートウェイ装置が配置された第二構内に設置されて、前記第二構内に位置する前記携帯端末が前記第二構内ネットワークに無線接続されたことを検知する第二構内基地局と、
前記第二構内基地局に検知された前記携帯端末の前記識別子を、前記第二構内基地局を通じて取得する第二制御装置と、
を備え、
前記呼制御サーバが、前記識別子と、前記ゲートウェイ装置の前記ＩＰアドレスとを関連付けて記憶し、
前記携帯端末が前記構内から前記第二構内に移動した場合に、
前記代理登録装置が、前記第二制御装置が取得した前記識別子と、前記第二ゲートウェイ装置の前記第二ＩＰアドレスを、前記構内間通信網を通じて前記呼制御サーバに送信し、
前記呼制御サーバが、前記識別子と関連付けて記憶されていた前記ＩＰアドレスを前記第二ＩＰアドレスに更新し、
前記制御装置および前記第二制御装置には、それぞれ個別にＩＰアドレスが付与されているとともに、
前記構内間通信網には、前記ゲートウェイ装置の前記ＩＰアドレスと前記制御装置の前記ＩＰアドレス、および、前記第二ゲートウェイ装置の前記第二ＩＰアドレスと前記第二制御装置の前記ＩＰアドレスを、それぞれ関連付けて格納したＩＰアドレステーブルを有するＩＤサーバが接続されていることを特徴とする通信制御システム。
【請求項２】
前記呼制御サーバが、前記携帯端末に割り当てられた内線番号と、前記識別子とを関連付けて記憶している請求項１に記載の通信制御システム。
【請求項３】
前記制御装置には、前記構内ネットワークに無線接続された携帯端末を認証するための登録番号が記憶されているとともに、
前記制御装置が、前記認証された携帯端末の識別子を前記代理登録装置に送信することを特徴とする請求項１または２に記載の通信制御システム。
【請求項４】
請求項１に記載の通信制御システムを用いて、前記携帯端末と、ＩＰアドレスが付与されて前記構内間通信網に接続されたＩＰ電話機との間で呼接続を確立する通信制御方法であって、
前記呼制御サーバに、前記携帯端末の識別子と、前記ゲートウェイ装置の前記ＩＰアドレスとを関連付けて登録する登録ステップと、
前記ＩＰ電話機が、発呼先の前記携帯端末の識別子を前記呼制御サーバに送信する発呼ステップと、
前記呼制御サーバが、受信した前記識別子に基づいて前記ゲートウェイ装置の前記ＩＰアドレスを検索する検索ステップと、
前記呼制御サーバが、ＩＰアドレスが検索された前記ゲートウェイ装置に対して、前記ＩＰ電話機との呼接続を要求する接続ステップと、を含み、
さらに、前記携帯端末が前記構内から前記第二構内に移動した場合に、
前記代理登録装置が、前記ＩＤサーバから、前記第二制御装置のＩＰアドレスを用いて前記第二ＩＰアドレスを取得するステップと、
前記代理登録装置が、前記第二制御装置が取得した前記識別子と、前記取得された第二ゲートウェイ装置の前記第二ＩＰアドレスを、前記構内間通信網を通じて前記呼制御サーバに送信するステップと、
前記呼制御サーバが、前記識別子と関連付けて記憶されていた前記ＩＰアドレスを前記第二ＩＰアドレスに更新するステップと、
を含む通信制御方法。
【請求項５】
請求項１に記載の通信制御システムを用いて、前記携帯端末と、ＩＰアドレスが付与されて前記構内間通信網に接続されたＩＰ電話機との間で呼接続を確立する通信制御方法であって、
前記呼制御サーバに、前記携帯端末の識別子と、前記携帯端末に割り当てられた内線番号と、前記ゲートウェイ装置の前記ＩＰアドレスとを関連付けて登録する登録ステップと、
前記ＩＰ電話機が、発呼先の前記携帯端末の内線番号を前記呼制御サーバに送信する発呼ステップと、
前記呼制御サーバが、受信した前記内線番号に関連付けて記憶された前記ゲートウェイ装置の前記ＩＰアドレスを検索する検索ステップと、
前記呼制御サーバが、ＩＰアドレスが検索された前記ゲートウェイ装置に対して、前記ＩＰ電話機との呼接続を要求する接続ステップと、を含み、
さらに、前記携帯端末が前記構内から前記第二構内に移動した場合に、
前記代理登録装置が、前記ＩＤサーバから、前記第二制御装置のＩＰアドレスを用いて前記第二ＩＰアドレスを取得するステップと、
前記代理登録装置が、前記第二制御装置が取得した前記識別子と、前記取得された第二ゲートウェイ装置の前記第二ＩＰアドレスを、前記構内間通信網を通じて前記呼制御サーバに送信するステップと、
前記呼制御サーバが、前記識別子と関連付けて記憶されていた前記ＩＰアドレスを前記第二ＩＰアドレスに更新するステップと、
を含む通信制御方法。
【請求項６】
請求項１に記載の通信制御システムを用いて、前記携帯端末と、ＩＰアドレスおよび電話番号が付与されて前記構内間通信網に接続されたＩＰ電話機との間で呼接続を確立する通信制御方法であって、
前記呼制御サーバに、前記携帯端末の識別子と前記ゲートウェイ装置の前記ＩＰアドレスとを関連付けて登録し、前記ＩＰ電話機のＩＰアドレスと前記電話番号とを関連付けて登録する登録ステップと、
前記携帯端末が、特番を付加して発呼先の前記ＩＰ電話機の電話番号を前記ゲートウェイ装置に発呼する発呼ステップと、
前記ゲートウェイ装置が、発呼元である前記携帯端末の識別子と、発呼先である前記ＩＰ電話機の電話番号とを、前記呼制御サーバに送信する要求ステップと、
前記呼制御サーバが、受信した前記ＩＰ電話機の電話番号に関連付けて記憶された前記ＩＰ電話機の前記ＩＰアドレスを検索する検索ステップと、
前記呼制御サーバが、ＩＰアドレスが検索された前記ＩＰ電話機に対して、前記ゲートウェイ装置との呼接続を要求する接続ステップと、を含み、
さらに、前記携帯端末が前記構内から前記第二構内に移動した場合に、
前記代理登録装置が、前記ＩＤサーバから、前記第二制御装置のＩＰアドレスを用いて前記第二ＩＰアドレスを取得するステップと、
前記代理登録装置が、前記第二制御装置が取得した前記識別子と、前記取得された第二ゲートウェイ装置の前記第二ＩＰアドレスを、前記構内間通信網を通じて前記呼制御サーバに送信するステップと、
前記呼制御サーバが、前記識別子と関連付けて記憶されていた前記ＩＰアドレスを前記第二ＩＰアドレスに更新するステップと、
を含む通信制御方法。
【請求項７】
請求項１に記載の通信制御システムを用いて、二台の前記携帯端末同士の間で呼接続を確立する通信制御方法であって、
前記呼制御サーバに、一の前記携帯端末の識別子と前記一の携帯端末が接続された一の前記ゲートウェイ装置の前記ＩＰアドレスとを関連付けて登録し、他の前記携帯端末の識別子と前記他の携帯端末が接続された他の前記ゲートウェイ装置の前記ＩＰアドレスとを関連付けて登録する登録ステップと、
他の前記携帯端末が、特番を付加して発呼先の前記一の携帯端末の識別子を前記他のゲートウェイ装置に発呼する発呼ステップと、
前記他のゲートウェイ装置が、発呼元である前記他の携帯端末の識別子と、発呼先である前記一の携帯端末の識別子とを、前記呼制御サーバに送信する要求ステップと、
前記呼制御サーバが、受信した前記一の携帯端末の識別子に関連付けて記憶された前記一のゲートウェイ装置の前記ＩＰアドレスを検索する検索ステップと、
前記呼制御サーバが、ＩＰアドレスが検索された前記一のゲートウェイ装置に対して、前記他のゲートウェイ装置との呼接続を要求する接続ステップと、を含み、
さらに、前記携帯端末が前記構内から前記第二構内に移動した場合に、
前記代理登録装置が、前記ＩＤサーバから、前記第二制御装置のＩＰアドレスを用いて前記第二ＩＰアドレスを取得するステップと、
前記代理登録装置が、前記第二制御装置が取得した前記識別子と、前記取得された第二ゲートウェイ装置の前記第二ＩＰアドレスを、前記構内間通信網を通じて前記呼制御サーバに送信するステップと、
前記呼制御サーバが、前記識別子と関連付けて記憶されていた前記ＩＰアドレスを前記第二ＩＰアドレスに更新するステップと、
を含む通信制御方法。
【請求項８】
請求項１に記載の通信制御システムを用いて、二台の前記携帯端末同士の間で呼接続を確立する通信制御方法であって、
前記呼制御サーバに、一の前記携帯端末の識別子と前記一の携帯端末に割り当てられた内線番号と前記一の携帯端末が接続された一の前記ゲートウェイ装置の前記ＩＰアドレスとを関連付けて登録し、他の前記携帯端末の識別子と前記他の携帯端末が接続された他の前記ゲートウェイ装置の前記ＩＰアドレスとを関連付けて登録する登録ステップと、
他の前記携帯端末が、特番を付加して発呼先の前記一の携帯端末の内線番号を前記他のゲートウェイ装置に発呼する発呼ステップと、
前記他のゲートウェイ装置が、発呼元である前記他の携帯端末の識別子と、発呼先である前記一の携帯端末の内線番号とを、前記呼制御サーバに送信する要求ステップと、
前記呼制御サーバが、受信した前記内線番号に関連付けて記憶された前記一のゲートウェイ装置の前記ＩＰアドレスを検索する検索ステップと、
前記呼制御サーバが、ＩＰアドレスが検索された前記一のゲートウェイ装置に対して、前記他のゲートウェイ装置との呼接続を要求する接続ステップと、を含み、
さらに、前記携帯端末が前記構内から前記第二構内に移動した場合に、
前記代理登録装置が、前記ＩＤサーバから、前記第二制御装置のＩＰアドレスを用いて前記第二ＩＰアドレスを取得するステップと、
前記代理登録装置が、前記第二制御装置が取得した前記識別子と、前記取得された第二ゲートウェイ装置の前記第二ＩＰアドレスを、前記構内間通信網を通じて前記呼制御サーバに送信するステップと、
前記呼制御サーバが、前記識別子と関連付けて記憶されていた前記ＩＰアドレスを前記第二ＩＰアドレスに更新するステップと、
を含む通信制御方法。
【請求項９】
請求項１から３のいずれかに記載の通信制御システムに用いられる代理登録装置であって、
前記制御装置および前記第二制御装置のいずれかの前記ＩＰアドレスを取得し、
前記取得されたＩＰアドレスを前記ＩＤサーバに送信し、
前記構内基地局に検知された前記携帯端末の前記識別子と、前記送信されたＩＰアドレスに基づいて前記ＩＤサーバから返信された前記ゲートウェイ装置の前記ＩＰアドレスを、前記構内間通信網を通じて前記呼制御サーバに送信することを特徴とする代理登録装置。
【請求項１０】
請求項９に記載の代理登録装置のためのコンピュータプログラムであって、
前記制御装置および前記第二制御装置のいずれかの前記ＩＰアドレスを取得する処理、
前記取得されたＩＰアドレスを前記ＩＤサーバに送信する処理、
前記構内基地局に検知された前記携帯端末の前記識別子と、前記送信されたＩＰアドレスに基づいて前記ＩＤサーバから返信された前記ゲートウェイ装置の前記ＩＰアドレスを、前記構内間通信網を通じて前記呼制御サーバに送信する処理を前記代理登録装置に実行させるためのコンピュータプログラム。
【発明の詳細な説明】
【技術分野】
【０００１】
本発明は、ゲートウェイ装置を介して構内間通信網と接続された構内ネットワークを用いて、回線交換式の携帯端末と呼接続を確立するための通信制御システム、これを用いた通信制御方法、これに用いられる代理登録装置および代理登録装置のためのコンピュータプログラムに関する。
【背景技術】
【０００２】
近年、ゲートウェイ装置に接続されたＩＰ電話機と携帯電話機との内線通話を可能にする電話サービスが提供されている。この種の発明としては、例えば下記特許文献１に記載の通信システムが提案されている。このシステムは、ゲートウェイ装置および呼制御（ＳＩＰ：Session Initiation Protocol）サーバとともにＩＰ網に接続されたＩＰ電話機に対して、携帯電話機からの呼接続を可能にするものである。
【０００３】
図１１は、関連する内線無線電話システム１９０のブロック図である。
データ通信網１は音声パケットの伝送が可能なＩＰ通信ネットワークであり、ＳＩＰサーバ５０のほか、複数台のＩＰ電話機６０ａ，６０ｂが接続されている。ＩＰ電話機６０ａ，６０ｂには、それぞれ識別子（外線番号）とともに固有の内線番号が付与されている。
【０００４】
回線交換式の携帯端末である携帯電話９９ａ〜９９ｃには、固有の外線番号が、ユーザ番号としてそれぞれに付与されている。
携帯電話９９ａ〜９９ｃは、構内９０に設置された構内基地局９７ａ，９７ｂを介して制御装置９５にて着呼が受付けられる。制御装置９５には、携帯電話９９ａ〜９９ｃの外線番号とＩＰ電話機６０ａ，６０ｂの外線番号が予め登録されている。
【０００５】
そして、所定の特番（特殊番号：例えば＊９９など）を付して携帯電話９９ａ〜９９ｃから発呼先番号をダイヤルすることにより、制御装置９５は、発呼先番号が外線番号であるか内線番号であるかを識別した上で、当該携帯電話９９ａ〜９９ｃと発呼先の電話機との間で呼接続を確立する。
【０００６】
具体的には、特番に続く発呼先番号が、制御装置９５に登録されていない外線番号である場合、制御装置９５は公衆モバイル網３を通じて外線電話機に対して呼接続を要求する。また、特番に続く発呼先番号が、制御装置９５に予め登録されている外線番号である場合、制御装置９５は、構内基地局９７ａ，９７ｂまたはゲートウェイ装置９３に対して、携帯電話９９ａ〜９９ｃの外線番号（発呼元番号）と発呼先の外線番号とを伝える。ゲートウェイ装置９３を介してデータ通信網１の外部に接続されたＩＰ電話機６０ａ，６０ｂに呼接続する場合、制御装置９５はゲートウェイ装置９３に対してこれらを伝える。
一方、特番に続く発呼先番号がＩＰ電話機６０ａ，６０ｂの内線番号である場合についても、制御装置９５はゲートウェイ装置９３に対して、携帯電話９９ａ〜９９ｃの外線番号（発呼元番号）と発呼先の内線番号とを伝える。
なお、特番を付すことなく携帯電話９９ａ〜９９ｃから外線番号をダイヤルした場合にも、構内基地局９７ａ，９７ｂおよび制御装置９５を介して公衆モバイル網３に呼接続が要求されることとなる。
【０００７】
ＳＩＰサーバ５０は、既知のＩＰアドレスが付与されたゲートウェイ装置９３からの呼接続要求を、発呼先の外線番号または内線番号（以下、あわせて「電話番号」という場合がある。）に対応するＩＰ電話機（例えば、ＩＰ電話機６０ａ）に伝送する。ＩＰ電話機６０ａがこれに応答することで、ゲートウェイ装置９３とＩＰ電話機６０ａとは呼接続される。
以上により、回線交換式の携帯電話９９ａ〜９９ｃとＩＰ電話機６０ａとが、構内交換機（ＰＢＸ：Private Branch eXchange）９１によって回線交換接続されて内線通話可能となる。
したがって、図１１に記載の内線無線電話システム１９０によれば、公衆モバイル網３を経由しての外線通話が可能な携帯電話９９ａ〜９９ｃを内線通話端末としても使用することが可能になる。
【０００８】
【特許文献１】特開２００５−２７７９２５号公報
【発明の開示】
【発明が解決しようとする課題】
【０００９】
近年は広域通信網（ＷＡＮ：Wide Area Network）が発達し、複数の互いに離間した構内領域（構内）がデータ通信網１で接続される場合も増えている。しかしながら、図１１に示す上記の内線無線電話システム１９０が各構内に構築されたとしても、携帯電話９９ａ〜９９ｃが構内９０に位置するときにしか内線を着呼することができず、矢印で示すように携帯電話９９ａ〜９９ｃが構内９０から外部に移動した場合にはこれが不可能になるという問題がある。
【００１０】
すなわち、例えば携帯電話９９ｃが構内９０から他の構内（図１１には図示せず）に移動した場合も、ＩＰ電話機６０ａから携帯電話９９ｃへの呼接続要求は、ＳＩＰサーバ５０からゲートウェイ装置９３に送信されてしまう。そして、ゲートウェイ装置９３からの初呼要求を受け取ったＰＢＸ９１は、構内９０に存在しない携帯電話９９ｃに対して回線交換接続することはできない。したがって、携帯電話９９ｃはＩＰ電話機６０ａからの着呼を受け取ることができないこととなる。
換言すると、外線通話端末と内線通話端末を一台の携帯電話で兼用する上記内線無線電話システム１９０であっても、これが可能になるのはあくまでも特定の構内に限られることとなる。したがって、複数の構内を移動するユーザは、各構内に配置されたゲートウェイ装置に対応する専用の内線通話端末を所持しなければならないという問題があった。
【００１１】
本発明は上記事情に鑑みてなされたものであり、複数の構内間を移動する回線交換式の携帯端末に対しても呼接続可能とする通信制御システムを提供するものである。
【課題を解決するための手段】
【００１２】
本発明によれば、固有の識別子が付与された回線交換式の携帯端末と、
前記識別子を記憶した呼制御サーバが接続された構内間通信網と、
ＩＰ（Internet Protocol）アドレスが付与されたゲートウェイ装置を介して、前記構内間通信網と接続された構内ネットワークと、
前記ゲートウェイ装置が配置された構内に設置されて、前記構内に位置する前記携帯端末が前記構内ネットワークに無線接続されたことを検知する構内基地局と、
前記構内基地局に検知された前記携帯端末の前記識別子を、前記構内基地局を通じて取得する制御装置と、
前記制御装置が取得した前記識別子と、前記ゲートウェイ装置の前記ＩＰアドレスを、前記構内間通信網を通じて前記呼制御サーバに送信する代理登録装置と、
を備え、
前記呼制御サーバが、前記識別子と、前記ゲートウェイ装置の前記ＩＰアドレスとを関連付けて記憶することを特徴とする通信制御システムが提供される。
【００１３】
また、本発明によれば、上記記載の通信制御システムを用いて、前記携帯端末と、ＩＰアドレスが付与されて前記構内間通信網に接続されたＩＰ電話機との間で呼接続を確立する通信制御方法であって、
前記呼制御サーバに、前記携帯端末の識別子と、前記ゲートウェイ装置の前記ＩＰアドレスとを関連付けて登録する登録ステップと、
前記ＩＰ電話機が、発呼先の前記携帯端末の識別子を前記呼制御サーバに送信する発呼ステップと、
前記呼制御サーバが、受信した前記識別子に基づいて前記ゲートウェイ装置の前記ＩＰアドレスを検索する検索ステップと、
前記呼制御サーバが、ＩＰアドレスが検索された前記ゲートウェイ装置に対して、前記ＩＰ電話機との呼接続を要求する接続ステップと、
を含む通信制御方法が提供される。
【００１４】
また、本発明によれば、上記記載の通信制御システムを用いて、前記携帯端末と、ＩＰアドレスが付与されて前記構内間通信網に接続されたＩＰ電話機との間で呼接続を確立する通信制御方法であって、
前記呼制御サーバに、前記携帯端末の識別子と、前記携帯端末に割り当てられた内線番号と、前記ゲートウェイ装置の前記ＩＰアドレスとを関連付けて登録する登録ステップと、
前記ＩＰ電話機が、発呼先の前記携帯端末の内線番号を前記呼制御サーバに送信する発呼ステップと、
前記呼制御サーバが、受信した前記内線番号に関連付けて記憶された前記ゲートウェイ装置の前記ＩＰアドレスを検索する検索ステップと、
前記呼制御サーバが、ＩＰアドレスが検索された前記ゲートウェイ装置に対して、前記ＩＰ電話機との呼接続を要求する接続ステップと、
を含む通信制御方法が提供される。
【００１５】
また、本発明によれば、上記記載の通信制御システムを用いて、前記携帯端末と、ＩＰアドレスおよび電話番号が付与されて前記構内間通信網に接続されたＩＰ電話機との間で呼接続を確立する通信制御方法であって、
前記呼制御サーバに、前記携帯端末の識別子と前記ゲートウェイ装置の前記ＩＰアドレスとを関連付けて登録し、前記ＩＰ電話機のＩＰアドレスと前記電話番号とを関連付けて登録する登録ステップと、
前記携帯端末が、特番を付加して発呼先の前記ＩＰ電話機の電話番号を前記ゲートウェイ装置に発呼する発呼ステップと、
前記ゲートウェイ装置が、発呼元である前記携帯端末の識別子と、発呼先である前記ＩＰ電話機の電話番号とを、前記呼制御サーバに送信する要求ステップと、
前記呼制御サーバが、受信した前記ＩＰ電話機の電話番号に関連付けて記憶された前記ＩＰ電話機の前記ＩＰアドレスを検索する検索ステップと、
前記呼制御サーバが、ＩＰアドレスが検索された前記ＩＰ電話機に対して、前記ゲートウェイ装置との呼接続を要求する接続ステップと、
を含む通信制御方法が提供される。
【００１６】
また、本発明によれば、上記記載の通信制御システムを用いて、二台の前記携帯端末同士の間で呼接続を確立する通信制御方法であって、
前記呼制御サーバに、一の前記携帯端末の識別子と前記一の携帯端末が接続された一の前記ゲートウェイ装置の前記ＩＰアドレスとを関連付けて登録し、他の前記携帯端末の識別子と前記他の携帯端末が接続された他の前記ゲートウェイ装置の前記ＩＰアドレスとを関連付けて登録する登録ステップと、
他の前記携帯端末が、特番を付加して発呼先の前記一の携帯端末の識別子を前記他のゲートウェイ装置に発呼する発呼ステップと、
前記他のゲートウェイ装置が、発呼元である前記他の携帯端末の識別子と、発呼先である前記一の携帯端末の識別子とを、前記呼制御サーバに送信する要求ステップと、
前記呼制御サーバが、受信した前記一の携帯端末の識別子に関連付けて記憶された前記一のゲートウェイ装置の前記ＩＰアドレスを検索する検索ステップと、
前記呼制御サーバが、ＩＰアドレスが検索された前記一のゲートウェイ装置に対して、前記他のゲートウェイ装置との呼接続を要求する接続ステップと、
を含む通信制御方法が提供される。
【００１７】
また、本発明によれば、上記記載の通信制御システムを用いて、二台の前記携帯端末同士の間で呼接続を確立する通信制御方法であって、
前記呼制御サーバに、一の前記携帯端末の識別子と前記一の携帯端末に割り当てられた内線番号と前記一の携帯端末が接続された一の前記ゲートウェイ装置の前記ＩＰアドレスとを関連付けて登録し、他の前記携帯端末の識別子と前記他の携帯端末が接続された他の前記ゲートウェイ装置の前記ＩＰアドレスとを関連付けて登録する登録ステップと、
他の前記携帯端末が、特番を付加して発呼先の前記一の携帯端末の内線番号を前記他のゲートウェイ装置に発呼する発呼ステップと、
前記他のゲートウェイ装置が、発呼元である前記他の携帯端末の識別子と、発呼先である前記一の携帯端末の内線番号とを、前記呼制御サーバに送信する要求ステップと、
前記呼制御サーバが、受信した前記内線番号に関連付けて記憶された前記一のゲートウェイ装置の前記ＩＰアドレスを検索する検索ステップと、
前記呼制御サーバが、ＩＰアドレスが検索された前記一のゲートウェイ装置に対して、前記他のゲートウェイ装置との呼接続を要求する接続ステップと、
を含む通信制御方法が提供される。
【００１８】
また、本発明によれば、上記記載の通信制御システムに用いられる代理登録装置であって、
前記構内基地局に検知された前記携帯端末の前記識別子と前記ゲートウェイ装置の前記ＩＰアドレスを、前記構内間通信網を通じて前記呼制御サーバに送信することを特徴とする代理登録装置が提供される。
【００１９】
また、本発明によれば、上記記載の代理登録装置のためのコンピュータプログラムであって、
前記構内基地局に検知された前記携帯端末の前記識別子と前記ゲートウェイ装置の前記ＩＰアドレスを、前記構内間通信網を通じて前記呼制御サーバに送信する処理を前記代理登録装置に実行させるためのコンピュータプログラムが提供される。
【００２０】
ここで、携帯端末とは、携帯電話機のほか、ＰＨＳ（Personal Handy-phone System：登録商標）や携帯情報端末（ＰＤＡ：Personal Digital Assistant）などを含む。
【００２１】
本発明で、構内とは、ゲートウェイ装置をインタフェースとして構内間通信網に接続された領域の概念を意味し、その広さは特に限定されない。また、複数の構内が設けられる場合、構内間の距離も特に限定されるものではない。会社の本社と支社、または建屋内の一階と二階などを例示することができるほか、同一建屋の同一フロア内を複数に区画して構内を構成してもよい。
【００２２】
本発明で、構内間通信網とは、ゲートウェイ装置と呼制御サーバとを、有線、無線またはこれらの組み合わせによって接続するＩＰ通信ネットワークを意味する。
また、携帯端末が構内ネットワークに無線接続されるとは、携帯端末が構内基地局の受信圏内で電源をＯＮにした場合のほか、電源ＯＮの携帯端末が構内基地局の受信圏外から受信圏内に入った場合を含む。
【００２３】
なお、本発明の各種の構成要素は、その機能を実現するように形成されていればよく、例えば、所定の機能を発揮する専用のハードウェア、所定の機能がコンピュータプログラムにより付与されたデータ処理装置、コンピュータプログラムによりデータ処理装置に実現された所定の機能、これらの任意の組み合わせ、等として実現することができる。
【００２４】
また、本発明の各種の構成要素は、個々に独立した存在である必要はなく、複数の構成要素が一個のデバイスとして形成されていること、一つの構成要素が複数のデバイスで形成されていること、ある構成要素が他の構成要素の一部であること、ある構成要素の一部と他の構成要素の一部とが重複していること、等でよい。
【００２５】
また、本発明による通信制御方法や代理登録方法を説明するにあたり、複数のステップを順番に記載することがあるが、その記載の順番はステップを実行する順番を必ずしも限定するものではない。このため、本発明にかかる方法を実施するときには、その複数のステップの順番は内容的に支障しない範囲で変更することができる。
【００２６】
さらに、本発明による通信制御方法や代理登録方法の複数のステップは、個々に相違するタイミングで実行されることに限定されない。このため、あるステップの実行中に他のステップが発生すること、あるステップの実行タイミングと他のステップの実行タイミングとの一部ないし全部が重複していること、等でもよい。
【００２７】
また、本発明で云う制御装置や代理登録装置、呼制御サーバ、ＩＤサーバは、コンピュータプログラムを読み取って対応するデータ処理を実行できるように、ＣＰＵ（Central Processing Unit）、ＲＯＭ（Read Only Memory）、ＲＡＭ（Random Access Memory）、Ｉ／Ｆ（Interface）ユニット、等の汎用デバイスで構築されたハードウェア、所定のデータ処理を実行するように構築された専用の論理回路、これらの組み合わせ、等として実施することができる。
【００２８】
なお、本発明でコンピュータプログラムに対応した各種動作を上記装置またはサーバに実行させることは、これらの装置によって各種デバイスを動作制御させることなども意味している。
【００２９】
例えば、上記装置またはサーバに各種データを記憶、保持または保存させることは、これらの装置に固定されているＨＤＤ（Hard Disc Drive）やＲＡＭ等の情報記憶媒体にＣＰＵが各種データを格納すること、これらの装置に交換自在に装填されている情報記憶メディアにＣＰＵがドライブ装置で各種データを格納すること、等でよい。
【発明の効果】
【００３０】
本発明によれば、複数の構内間を携帯端末が移動した場合にも、移動先の構内に配置されたゲートウェイ装置のＩＰアドレスが代理登録装置によって呼制御サーバに送信されることで、携帯端末は内線通話の着呼を受け取ることが可能になる。
【発明を実施するための最良の形態】
【００３１】
以下、本発明の実施形態について、図面を用いて説明する。なお、すべての図面において、同様な構成要素には同様の符号を付し、適宜説明を省略する。
【００３２】
＜第一実施形態＞
図１は、本実施形態の通信制御システム１００の構成を示すブロック図である。
はじめに、本実施形態の通信制御システム１００の概要について説明する。
通信制御システム１００は、固有の識別子（ユーザ番号：UNo）が付与された回線交換式の携帯端末（携帯電話１９ａ〜１９ｃ）と、ユーザ番号を記憶した呼制御サーバ（ＳＩＰサーバ５０）が接続された構内間通信網（データ通信網１）と、ＩＰアドレス（第一ＩＰアドレス：GW1_IP）が付与されたゲートウェイ装置１３を介して、データ通信網１と接続された構内ネットワーク１６とを含んで構成されている。
【００３３】
携帯端末に付与される固有の識別子としては、いわゆる外線番号である移動機ＩＳＤＮ番号（ＭＳＩＳＤＮ：Mobile Subscriber ISDN Number）のほか、国際移動電話加入者ＩＤ（ＩＭＳＩ：International Mobile Subscriber Identity）や、暫定的移動電話加入者ＩＤ（ＴＭＳＩ：Temporary Mobile Subscriber Identity）などの加入者識別子を例示することができる。
なお、本発明において、付与された識別子が携帯端末に固有のものであるとは、本発明の目的が達成できる程度に、重複する識別子が付与された携帯端末が存在しないことを意味するものであり、世界中でユニークであることを要するものでは必ずしもない。
【００３４】
そして、ゲートウェイ装置１３が配置された構内（第一構内１０）には、当該構内に位置する携帯端末が構内ネットワーク１６に無線接続されたことを検知する構内基地局１７ａ，１７ｂが設置されている。
また、構内基地局１７ａ，１７ｂに検知された携帯端末のユーザ番号を構内基地局１７ａ，１７ｂを通じて取得する制御装置１５が設けられている。
【００３５】
また、本実施形態の通信制御システム１００は、構内基地局１７ａ，１７ｂに検知されて制御装置１５が取得した携帯端末のユーザ番号とゲートウェイ装置１３のＩＰアドレスを、データ通信網１を通じてＳＩＰサーバ５０に送信する代理登録装置１８を備えている。
【００３６】
そして、ＳＩＰサーバ５０は、ユーザ番号と、ゲートウェイ装置１３のＩＰアドレスとを関連付けて記憶している。
【００３７】
これにより、本実施形態の通信制御システム１００によれば、携帯端末（携帯電話１９ａ〜１９ｃ）が構内ネットワーク１６に無線接続されると、当該構内ネットワーク１６が接続されたゲートウェイ装置１３の第一ＩＰアドレス（GW1_IP）が、携帯端末のユーザ番号とともにＳＩＰサーバ５０に登録される。したがって、データ通信網１を介して構内ネットワーク１６に接続されたＩＰ電話機６０ａ，６０ｂからの着呼を、ゲートウェイ装置１３を介して携帯端末（携帯電話１９ａ〜１９ｃ）は受け取ることができる。
【００３８】
また、本実施形態の通信制御システム１００は、第二ＩＰアドレス（GW2_IP）が付与された第二ゲートウェイ装置（ゲートウェイ装置２３）を介してデータ通信網１と接続された第二構内ネットワーク（構内ネットワーク２６）を、さらに備えている。
【００３９】
そして、ゲートウェイ装置２３が配置された第二構内２０には、第二構内２０に位置する携帯端末（携帯電話１９ａ，２９ａ，２９ｂ）が構内ネットワーク２６に無線接続されたことを検知する第二構内基地局（構内基地局２７ａ，２７ｂ）が設置されている。
また、構内基地局２７ａ，２７ｂに検知された携帯端末のユーザ番号を、構内基地局２７ａ，２７ｂを通じて取得する第二制御装置（制御装置２５）が設けられている。
【００４０】
そして、本実施形態の通信制御システム１００では、図示のように携帯端末１９ａが第一構内１０から第二構内２０に移動した場合に、代理登録装置２８が、制御装置２５が取得したユーザ番号と、ゲートウェイ装置２３のＩＰアドレス（第二ＩＰアドレス：GW2_IP）を、データ通信網１を通じてＳＩＰサーバ５０に送信する。
そして、ＳＩＰサーバ５０は、ユーザ番号と関連付けて記憶されていた第一ＩＰアドレスを第二ＩＰアドレスに更新する。
【００４１】
これにより、携帯電話１９ａが第一構内１０から第二構内２０に移動した場合であっても、これが構内ネットワーク２６に無線接続された際には、当該構内に配置されたゲートウェイ装置２３のＩＰアドレスがＳＩＰサーバ５０に更新登録される。したがって、このように携帯電話１９ａが第二構内２０に移動した場合でも、データ通信網１を介して構内ネットワーク２６に接続されたＩＰ電話機６０ａ，６０ｂや第一構内１０に位置する携帯電話からの着呼を、ゲートウェイ装置２３を介して携帯電話１９ａは受け取ることができる。
【００４２】
また、構内ネットワーク１６，２６には、それぞれ、ＰＢＸ１１，２１が接続されており、ゲートウェイ装置同士、またはゲートウェイ装置とＩＰ電話機との間で呼接続が確立した場合に、回線交換式の携帯端末とゲートウェイ装置との間を交換接続する。
また、制御装置１５，２５には公衆モバイル網３が接続されており、携帯端末は制御装置１５，２５を介しての外線通話が可能である。
【００４３】
つぎに、本実施形態の通信制御システム１００について、より詳細に説明する。
データ通信網１には、一台または複数台のＳＩＰサーバ５０が接続されて、電話機同士の間に呼接続を確立する。また、データ通信網１には複数台のＩＰ電話機６０ａ，６０ｂが接続されている。
【００４４】
データ通信網１には、互いに離間した複数の構内（第一構内１０および第二構内２０）が接続されている。３以上の構内がデータ通信網１に接続されていてもよい。
【００４５】
第一構内１０には、構内基地局１７ａ，１７ｂ、制御装置１５、ＰＢＸ１１、ゲートウェイ装置１３および代理登録装置１８が設置され、当該構内に位置する携帯電話１９ａ，１９ｂ，１９ｃからの着呼を制御装置１５で受け付ける。
【００４６】
携帯電話１９ａ，１９ｂ，１９ｃには、識別子として、それぞれ固有の外線番号（例えば、０９０−Ｘ−Ｙａ，Ｙｂ，Ｙｃ）がユーザ番号として付与されている。
以下、本実施形態においては、識別子として外線番号を例にとり説明する。
そして、携帯電話１９ａ，１９ｂ，１９ｃには、それぞれの外線番号に対応付けられた内線番号（例えば、Ｚａ，Ｚｂ，Ｚｃ）が割り当てられてＳＩＰサーバ５０に登録されている。ただし、これらの携帯電話は、内線番号による着呼を受けることはできない。したがって、例えば携帯電話１９ａが他の携帯電話１９ｂ，１９ｃやＩＰ電話機６０ａ，６０ｂと通話する場合には、ゲートウェイ装置１３およびＰＢＸ１１を介して、当該携帯電話１９ａの外線番号による着呼を受ける必要がある。
【００４７】
本実施形態の通信制御システム１００の場合、ＳＩＰサーバ５０には携帯電話１９ａ，１９ｂ，１９ｃの外線番号、内線番号、およびゲートウェイ装置１３の第一ＩＰアドレスが、それぞれ関連付けて記憶されている。したがって、データ通信網１に接続された電話機から携帯電話１９ａに発呼する場合には、ＳＩＰサーバ５０において携帯電話１９ａの外線番号または内線番号からゲートウェイ装置１３のＩＰアドレス（第一ＩＰアドレス）を検索し、ＳＩＰサーバ５０を介してゲートウェイ装置１３との間で呼接続を確立する。このとき、発呼先の携帯電話の内線番号がダイヤルされた場合、ＳＩＰサーバ５０では当該内線番号に関連付けられた外線番号を検索し、これをゲートウェイ装置１３に対して通知する。
【００４８】
このように、ＳＩＰサーバ５０において、発呼先の携帯電話の外線番号または内線番号と、当該携帯電話が位置する構内に配置されたゲートウェイ装置のＩＰアドレスとが対応付けられている。これにより、データ通信網１に接続された電話機から当該携帯電話の内線番号または外線番号のいずれをダイヤルしたとしても、当該携帯電話との呼接続を確立することができる。
【００４９】
一方、第二構内２０にも同様に、構内基地局２７ａ，２７ｂ、制御装置２５、ＰＢＸ２１、ゲートウェイ装置２３および代理登録装置２８が設置され、当該構内に位置する携帯電話１９ａ，２９ａ，２９ｂとの発呼および着呼を制御装置２５で受け付ける。携帯電話１９ａは、第一構内１０から第二構内２０に移動してきたことを意味している。
【００５０】
携帯電話２９ａ，２９ｂには、それぞれ固有の外線番号（例えば、０９０−Ｘ−Ｙｄ，Ｙｅ）がユーザ番号として付与されている。
そして、携帯電話２９ａ，２９ｂには、それぞれの外線番号に対応付けられた内線番号（例えば、Ｚｄ，Ｚｅ）が割り当てられ、外線番号およびゲートウェイ装置２３の第二ＩＰアドレスとともに関連付けられてＳＩＰサーバ５０に登録されている。ただし、これらの携帯電話についても、内線番号による着呼を受け付けることはできない。
したがって、データ通信網１に接続された電話機から当該携帯電話の内線番号がダイヤルされた場合には、ＳＩＰサーバ５０によってゲートウェイ装置２３の第二ＩＰアドレスと当該携帯電話の外線番号が検索されることにより、ゲートウェイ装置２３を介して呼接続が確立される。
【００５１】
以上のように、本実施形態のＳＩＰサーバ５０は、携帯端末に割り当てられた内線番号と、識別子（外線番号）とを関連付けて記憶している。
図２は、ＳＩＰサーバ５０が備える端末登録テーブルの一例である。
端末登録テーブルには、携帯端末の内線番号および識別子（外線番号）と、当該携帯端末が位置する構内のゲートウェイ装置１３，２３のＩＰアドレスとがテーブル形式で格納されている。
【００５２】
そして、同図に示すように、携帯電話１９ａが第一構内１０から第二構内２０に移動したことにより、ＳＩＰサーバ５０に登録されているゲートウェイ装置のＩＰアドレスが、第一ＩＰアドレス（GW1_IP）から第二ＩＰアドレス（GW2_IP）に更新されている。
【００５３】
第一構内１０または第二構内２０においては、携帯端末（以下、携帯電話１９ａを例に説明する。）が構内ネットワーク１６，２６に無線接続されたことが構内基地局１７ａ，１７ｂ，２７ａ，２７ｂに検知されると、制御装置１５，２５では携帯電話１９ａの認証処理をおこなう。
【００５４】
図３は、制御装置２５の機能ブロック図である。同図を用いて、第一構内１０から第二構内２０に移動してきた携帯電話１９ａの認証処理について説明する。なお、同様の処理をおこなう制御装置１５については詳述を省略する。
【００５５】
制御装置２５には、構内ネットワーク２６に無線接続された携帯端末１９ａを認証するための登録番号が予め記憶されている。そして、制御装置２５は、認証された携帯端末１９ａの外線番号を代理登録装置２８に送信する。
【００５６】
携帯端末１９ａは、構内基地局２７ａ，２７ｂの受信圏内に入ると、または受信圏内で電源がＯＮになると、構内基地局２７ａ，２７ｂに対してレジストレーション情報を送信して構内ネットワーク２６に無線接続される。
制御装置２５では、携帯電話１９ａが構内ネットワーク２６に接続されたことを構内基地局２７ａ，２７ｂで受信すると、携帯電話１９ａが発呼または着呼動作をするか否かにかかわらずレジストレーション情報に含まれる当該携帯電話の外線番号を、端末情報取得部２５１にて取得する。
【００５７】
一方、記憶部２５３には、内線通話を許可する携帯電話のユーザ番号が、登録番号として予め記憶されている。登録番号としては、制御装置２５を用いて呼接続をする可能性のあるすべての携帯端末（携帯電話１９ａ〜１９ｃ，２９ａ，２９ｂ）のユーザ番号が含まれている。
端末情報取得部２５１は、記憶部２５３に記憶された登録番号を参照して、携帯電話１９ａのユーザ番号がこれに含まれるか否かを判定することにより、携帯電話１９ａを認証する。
そして、かかる認証結果に基づいて、送信部２５５では、携帯電話１９ａが第二構内２０に位置することをＳＩＰサーバ５０に通知するよう、代理登録装置２８に命令する。
代理登録装置２８は、制御装置２５から取得した携帯電話１９ａのユーザ番号と、ゲートウェイ装置２３の第二ＩＰアドレス（GW2_IP）を、データ通信網１を介してＳＩＰサーバ５０に送信する。
【００５８】
そして、構内ネットワーク２６に接続された携帯端末のユーザ番号が登録番号に含まれていなかった場合、制御装置２５は、当該携帯端末には内線通話を許可せず、レジストレーション情報を公衆モバイル網３に送信する。
【００５９】
以上により、第一構内１０または第二構内２０のいずれかに位置して構内ネットワーク１６，２６に接続された携帯電話１９ａ〜１９ｃ，２９ａ，２９ｂは、当該構内の制御装置１５，２５に認証されると、同一構内に配置されたゲートウェイ装置１３，２３のＩＰアドレスとともに、その外線番号がＳＩＰサーバ５０に登録または更新される。
【００６０】
図４は、本実施形態の制御装置２５による代理登録指示方法を示すフローチャートである。
図５は、本実施形態の代理登録装置２８による代理登録方法を示すフローチャートである。
これらの図を用いて、制御装置２５および代理登録装置２８を用いた本実施形態の通信制御方法によって実現される内線通話の呼接続処理を、より具体的に説明する。
【００６１】
図４に示すように、制御装置２５は、携帯端末が構内ネットワーク２６に無線接続されたことを構内基地局２７ａ，２７ｂが検知すると、そのユーザ番号が制御装置２５に登録済みであるかどうかを判定する（ステップＳ１１０）。
携帯端末が携帯電話１９ａである場合、そのユーザ番号は制御装置２５に登録されているため（ステップＳ１１０：Ｙ）、制御装置２５は、携帯電話１９ａのユーザ番号を代理登録装置２８に送信するとともに代理登録を指示する（ステップＳ１２０）。
一方、接続された携帯端末が制御装置２５に登録されていない場合（ステップＳ１１０：Ｎ）、制御装置２５は、当該携帯電話が構内ネットワーク２６に接続されたことを、公衆モバイル網３に向けて送信する（ステップＳ１３０）。
なお、携帯端末が構内ネットワーク２６に無線接続されているかどうかの判断は、所定の時間間隔（例えば数秒など）ごとに、構内基地局２７ａ，２７ｂから構内の携帯端末に向けて応答確認のメッセージを送信しておこなってもよい。
【００６２】
図５に示すように、代理登録装置２８では、制御装置２５からの代理登録の指示を待ち（ステップＳ２１０：Ｎ）、これを受信すると（ステップＳ２１０：Ｙ）、制御装置２５を通じて携帯電話１９ａのユーザ番号（外線番号）をユーザ情報として取得する（ステップＳ２２０）。
次に、代理登録装置２８は、ゲートウェイ情報として、携帯電話１９ａの位置する第二構内に設置されたゲートウェイ装置２３のＩＰアドレス（第二ＩＰアドレス（GW2_IP））を取得する（ステップＳ２３０）。
そして、代理登録装置２８は、ユーザ番号とゲートウェイ情報を、データ通信網１を介してＳＩＰサーバ５０に送信して、携帯電話１９ａの登録（代理登録）を要求する（ステップＳ２４０）。
代理登録の要求を受け付けたＳＩＰサーバ５０では、携帯電話１９ａの外線番号に関連付けて登録されているゲートウェイ装置のＩＰアドレスを、代理登録装置２８から受信したゲートウェイ情報に従って更新する。
【００６３】
［携帯端末からＩＰ電話機への発呼方法について］
図６は、本実施形態の通信制御システム１００を用いて、第一構内１０に位置する携帯電話１９ａと、ＩＰアドレス（PHN_IP）および電話番号が付与されてデータ通信網１に接続されたＩＰ電話機６０ａとの間で呼接続を確立する通信制御方法を示すシーケンス図である。
ここでは、ＩＰ電話機６０ａに予め付与された内線番号（EXNo）に対して携帯電話１９ａが発呼する場合を例に説明する。ただし、ＩＰ電話機６０ａの外線番号に対して発呼する場合も同様である。
【００６４】
本実施形態の通信制御方法は、登録ステップと、発呼ステップと、要求ステップと、検索ステップと、接続ステップとを含んでいる。
【００６５】
登録ステップ（図示せず）では、ＳＩＰサーバ５０に、携帯電話１９ａの外線番号（UNo）とゲートウェイ装置１３の第一ＩＰアドレス（GW1_IP）とを関連付けて登録し、また、ＩＰ電話機６０ａのＩＰアドレス（PHN_IP）と内線番号（EXNo）とを関連付けて登録する。これらの登録処理は、任意の順でおこなえばよい。
【００６６】
発呼ステップ（ステップＳ３１０）では、携帯電話１９ａが、特番（例えば＊９９など）を付加して、発呼先のＩＰ電話機６０ａの内線番号（EXNo）をダイヤルすることにより、制御装置１５に対して発呼する。制御装置１５は、発呼先の内線番号（EXNo）とともに、携帯電話１９ａのユーザ番号（UNo）を取得する。
つぎに、制御装置１５では、これに記憶されている登録番号とユーザ番号（UNo）とを対比して携帯電話１９ａの認証処理をおこなう（ステップＳ３２０）。
携帯電話１９ａが認証されると、制御装置１５はＰＢＸ１１に対して接続指示をおこなう（ステップＳ３３０）。この際、制御装置１５は、発呼元のユーザ番号（UNo）、発呼先の内線番号（EXNo）に加え、制御装置１５のＩＰアドレス（CU1_IP）を送信する。
そして、接続指示を受信したＰＢＸ１１は、ゲートウェイ装置１３にこれを転送する（ステップＳ３４０）。
【００６７】
要求ステップ（ステップＳ３５０）では、ゲートウェイ装置１３が、発呼元である携帯電話１９ａのユーザ番号（UNo）と、発呼先であるＩＰ電話機６０ａの内線番号（EXNo）とを、ＳＩＰサーバ５０に送信する。
ゲートウェイ装置１３は、自身の第一ＩＰアドレス（GW1_IP）と、ポート番号（GW1_PN）をあわせてＳＩＰサーバ５０に送信する。
【００６８】
検索ステップ（ステップＳ３６０）では、ＳＩＰサーバ５０が、受信したＩＰ電話機６０ａの内線番号（EXNo）に関連付けて記憶されたＩＰ電話機６０ａのＩＰアドレス（PHN_IP）を検索する。
【００６９】
接続ステップ（ステップＳ３７０）では、ＳＩＰサーバ５０が、ＩＰアドレス（PHN_IP）が検索されたＩＰ電話機６０ａに対して、ゲートウェイ装置１３との呼接続を要求する。
ＳＩＰサーバ５０は、発呼元の携帯電話１９ａのユーザ番号（UNo）をＩＰ電話機６０ａに通知する。
【００７０】
ＩＰ電話機６０ａがこれに応答すると（ステップＳ３８０）、ＳＩＰサーバ５０は当該応答メッセージを第一構内１０に転送する（ステップＳ３９０）。これにより、ゲートウェイ装置１３の上記所定のポートを経由して、携帯電話１９ａとＩＰ電話機６０ａとの間で呼接続が確立する。
【００７１】
なお、上記説明した呼接続は、携帯電話１９ａが第一構内１０から第二構内２０に移動しても同様におこなうことができる。
【００７２】
［ＩＰ電話機から携帯端末への発呼方法について］
図７は、本実施形態の通信制御システム１００を用いて、第二構内２０に位置する携帯電話１９ａと、ＩＰアドレス（PHN_IP）が付与されてデータ通信網１に接続されたＩＰ電話機６０ａとの間で呼接続を確立する通信制御方法を示すシーケンス図である。
具体的には、発呼元であるＩＰ電話機６０ａから発呼先である携帯電話１９ａに向けて呼接続を確立する方法を示す。
ここでは、携帯電話１９ａに予め割り当てられた内線番号（UXNo）を用いて発呼する。
【００７３】
本実施形態の通信制御方法は、登録ステップと、発呼ステップと、検索ステップと、接続ステップとを含んでいる。
【００７４】
登録ステップ（図示せず）では、ＳＩＰサーバ５０に、携帯電話１９ａの外線番号（UNo）と、これに割り当てられた内線番号（UXNo）と、携帯電話１９ａが位置する構内のゲートウェイ装置２３の第二ＩＰアドレス（GW2_IP）とを関連付けて登録する。これらの登録処理は、同時にまたは任意の順でおこなえばよい。
【００７５】
発呼ステップ（ステップＳ４１０）では、ＩＰ電話機６０ａが、発呼先の携帯電話１９ａの内線番号（UXNo）をＳＩＰサーバ５０に送信する。このとき、ＩＰ電話機６０ａは自身のＩＰアドレス（PHN_IP）を、あわせてＳＩＰサーバ５０に送信する。
【００７６】
検索ステップ（Ｓ４２０）では、ＳＩＰサーバ５０が、受信した内線番号（UXNo）に関連付けて記憶されたゲートウェイ装置２３の第二ＩＰアドレス（GW2_IP）と、携帯電話１９ａの外線番号（UNo）を検索する。
【００７７】
接続ステップ（Ｓ４３０）では、ＳＩＰサーバ５０が、ＩＰアドレス（第二ＩＰアドレス：GW2_IP）が検索されたゲートウェイ装置２３に対して、ＩＰ電話機６０ａとの呼接続を要求する。
【００７８】
ゲートウェイ装置２３は、ＰＢＸ２１を介して携帯電話１９ａに呼接続を要求するとともに（ステップＳ４４０）、ＩＰ電話機６０ａのＩＰアドレス（PHN_IP）に対して応答する（ステップＳ４５０）。
これにより、携帯電話１９ａとＩＰ電話機６０ａとの間で呼接続が確立する。
【００７９】
上記では、携帯電話１９ａの内線番号（UXNo）に対してＩＰ電話機６０ａが発呼している。携帯電話１９ａでは内線番号（UXNo）による着呼を受け付けることができないが、ＳＩＰサーバ５０にて内線番号（UXNo）から外線番号（UNo）への変換処理をおこなうことにより、かかる着呼が可能となる。
【００８０】
携帯電話１９ａの外線番号（UNo）に対してＩＰ電話機６０ａから発呼する場合も同様である。
登録ステップでは、ＳＩＰサーバ５０に、携帯電話１９ａの外線番号（UNo）と、ゲートウェイ装置２３の第二ＩＰアドレス（GW2_IP）とを関連付けて登録しておく。
発呼ステップ（Ｓ４１０）では、ＩＰ電話機６０ａが、発呼先の携帯電話１９ａの外線番号（UNo）をＳＩＰサーバ５０に送信する。
この場合、検索ステップ（Ｓ４２０）においてＳＩＰサーバ５０は受信した外線番号（UNo）に関連付けて記憶されたゲートウェイ装置２３の第二ＩＰアドレス（GW2_IP）を検索する。
以降の処理は上記と同様である。
【００８１】
［携帯端末同士の発呼方法について］
本実施形態の通信制御システム１００を用いて、二台の携帯端末同士の間で呼接続を確立する通信制御方法について説明する。
携帯端末としては、互いに異なる構内に位置する携帯電話１９ｂ，２９ａの場合を例に説明する。そして、発呼先の携帯電話に割り当てられた内線番号（UXNo）をダイヤルして呼接続を確立する場合について説明する。
【００８２】
本実施形態の通信制御方法は、登録ステップと、発呼ステップと、要求ステップと、検索ステップと、接続ステップとを含んでいる。
【００８３】
登録ステップでは、ＳＩＰサーバ５０に、一の携帯端末（携帯電話１９ｂ）の外線番号と、これに割り当てられた内線番号と、携帯電話１９ｂが接続された一のゲートウェイ装置（ゲートウェイ装置１３）のＩＰアドレス（第一ＩＰアドレス）とを関連付けて登録する。また、他の携帯端末（携帯電話２９ａ）の外線番号と、これが接続された他のゲートウェイ装置（ゲートウェイ２３）のＩＰアドレス（第二ＩＰアドレス）とを関連付けて登録する。これらの登録処理は任意の順でおこなえばよい。
【００８４】
発呼ステップでは、携帯電話２９ａが、特番（例えば＊９９など）を付加して発呼先の携帯電話１９ｂの内線番号をゲートウェイ装置２３に発呼する。
【００８５】
要求ステップでは、ゲートウェイ装置２３が、発呼元である携帯電話２９ａの外線番号と、発呼先である携帯電話１９ｂの内線番号とを、ＳＩＰサーバ５０に送信する。
【００８６】
検索ステップでは、ＳＩＰサーバ５０が、受信した携帯電話１９ｂの内線番号に関連付けて記憶されたゲートウェイ装置１３の第一ＩＰアドレスを検索する。
【００８７】
接続ステップでは、ＳＩＰサーバ５０が、第一ＩＰアドレスが検索されたゲートウェイ装置１３に対して、ゲートウェイ装置２３との呼接続を要求する。
【００８８】
これにより、ともに回線交換式であり、かつ内線番号による着呼を受け付けない携帯電話同士の間で、内線番号による呼接続の確立が可能になる。
【００８９】
上記の通信制御方法においては、携帯電話１９ｂに付与された外線番号を携帯電話２９ａがダイヤルすることによっても呼接続を確立することができる。
この場合、登録ステップでは、ＳＩＰサーバ５０に、携帯電話１９ｂの外線番号と、これが接続されたゲートウェイ装置１３の第一ＩＰアドレスとを関連付けて登録しておく。
発呼ステップでは、携帯電話２９ａが、特番を付加して発呼先の携帯電話１９ｂの外線番号をゲートウェイ装置２３に発呼する。
要求ステップでは、ゲートウェイ装置２３が、発呼元である携帯電話２９ｂの外線番号と、発呼先である携帯電話１９ａの外線番号とを、ＳＩＰサーバ５０に送信する。
検索ステップでは、ＳＩＰサーバ５０が、受信した携帯電話１９ａの外線番号に関連付けて記憶されたゲートウェイ装置１３の第一ＩＰアドレスを検索する。
以降の処理は上記と同様である。
【００９０】
本実施形態の通信制御システム１００によれば、以下の作用効果を得ることができる。
まず、本実施形態によれば、構内ネットワーク１６，２６に無線接続された際に、制御装置１５，２５に登録された携帯端末のユーザ番号が、当該構内のゲートウェイ装置１３，２３のＩＰアドレスとともにＳＩＰサーバ５０に登録または更新登録される。これにより、携帯端末の最新の位置がＳＩＰサーバ５０には常に登録されていることとなる。
したがって、当該携帯端末は、ＩＰ電話機６０ａ，６０ｂや、他の携帯端末からの着呼を、いずれの構内においても受け取ることができる。
そして、携帯端末は、それ自身が音声パケットを受信するのではなく、データ通信網１を終端するゲートウェイ装置１３，２３で音声パケットから変換されたアナログ音声信号を、ＰＢＸ１１，２１を通じて回線交換呼として受け取ることができる。これにより、回線交換式の携帯端末によって、ＩＰ電話機６０ａ，６０ｂとの内線通話が可能となる。
また、本実施形態によれば、複数の構内を移動してそれぞれ内線通話をおこなうユーザに対して外線通話端末と内線通話端末を共用化することができる。
【００９１】
また、本実施形態のＳＩＰサーバ５０は、携帯端末に割り当てられた内線番号と、これに付与された外線番号とを関連付けて記憶している。これにより、携帯端末が内線番号による着呼を受け付けない場合であっても、ＳＩＰサーバ５０によって内線番号と外線番号の置換が可能であるため、発呼側の電話機は相手先の携帯端末の内線番号をダイヤルして呼接続を確立することができる。
【００９２】
また、制御装置１５，２５には、それぞれ公衆モバイル網３が接続されている。これにより、携帯電話１９ａ〜１９ｃ，２９ａ，２９ｂから外線電話端末（図示せず）と通話するにあたっては、制御装置１５，２５を経由した内線電話を利用しての外線通話と、携帯電話キャリア会社の基地局（図示せず）を経由した外線電話を利用しての外線通話とが選択可能となる。
【００９３】
なお、本実施形態は上記態様に限定されるものではなく、その要旨を逸脱しない範囲で各種の変形を許容する。
例えば、上記実施形態では、代理登録指示を受信した代理登録装置２８が、その都度、ゲートウェイ装置２３にゲートウェイ情報を問い合わせることとしている（図５：ステップＳ２３０）。本実施形態においては、これに代えて、代理登録装置２８に予めゲートウェイ情報を記憶しておき、当該記憶された情報に基づいて、代理登録装置２８はＳＩＰサーバ５０に対して代理登録要求を発信してもよい。
【００９４】
＜第二実施形態＞
図８は、本実施形態の通信制御システム１００の構成を示すブロック図である。
はじめに、本実施形態の概要について説明する。
上述した第一実施形態では、第一構内１０と第二構内２０に、それぞれ代理登録装置１８，２８が設置されているのに対し、本実施形態では、代理登録装置３８が、第一構内１０および第二構内２０の外部に配置されている。
すなわち、本実施形態の代理登録装置３８は、同図に示すように、第一構内１０および第二構内２０のいずれに対しても外部にあたる位置に配置されて、データ通信網１と接続されている。
【００９５】
また、本実施形態の通信制御システム１００については、第一制御装置（制御装置１５）と第二制御装置（制御装置２５）にはそれぞれ個別にＩＰアドレス（CU1_IP，CU2_IP）が付与されている。
そして、構内間通信網（データ通信網１）には、第一ゲートウェイ装置（ゲートウェイ装置１３）の第一ＩＰアドレス（GW1_IP）と第一制御装置（制御装置１５）のＩＰアドレス（CU1_IP）、および、第二ゲートウェイ装置（ゲートウェイ装置２３）の第二ＩＰアドレス（GW2_IP）と第二制御装置（制御装置２５）のＩＰアドレス（CU2_IP）を、それぞれ関連付けて格納したＩＰアドレステーブルを有するＩＤサーバ７０が接続されている。
【００９６】
［第二構内における呼接続について］
図９は、第二構内２０に位置する携帯電話１９ａを代理登録する方法を示すシーケンス図である。
携帯電話１９ａの無線接続を構内基地局２７ａ，２７ｂが検知して、これを制御装置２５が受信（ステップＳ６１０）すると、制御装置２５は携帯電話１９ａの認証処理をおこなう（ステップＳ６２０）。具体的には、携帯電話１９ａのユーザ番号（UNo）が、制御装置２５に記憶された登録番号に含まれるか否かの照合をおこなう。
【００９７】
携帯電話１９ａが認証されると、制御装置２５は代理登録装置３８に対して携帯電話１９ａの代理登録を指示するとともに、携帯電話１９ａのユーザ番号（UNo）と制御装置２５のＩＰアドレス（CU2_IP）を代理登録装置３８に送信する（ステップＳ６３０）。
【００９８】
代理登録指示を制御装置２５から受信した代理登録装置３８は、ＩＤサーバ７０に対してゲートウェイ装置２３のＩＰアドレスを問い合わせる（ステップＳ６４０）。
【００９９】
図１０は、ＩＤサーバ７０が有するＩＰアドレステーブルを示す図である。
ＩＰアドレステーブルには、第一構内１０および第二構内２０に設置されている制御装置１５，２５を示すＩＤ（制御装置ＩＤ）と、これらのＩＰアドレス（CU1_IP，CU2_IP）、および、制御装置と同一構内に設置されているゲートウェイ装置１３，２３のＩＰアドレス（第一ＩＰアドレス（GW1_IP），第二ＩＰアドレス（GW2_IP））が、互いに関連付けられて格納されている。また、同図に示すように、ＩＰアドレステーブルには、ゲートウェイ装置１３，２３で呼接続に用いられるポート番号があわせて格納されている。
【０１００】
ＩＤサーバ７０は、制御装置２５のＩＰアドレス（CU2_IP）に基づいて、該当するゲートウェイ装置１３，２３を検索し（ステップＳ６５０）、そのＩＰアドレス（GW2_IP）とポート番号（GW2_PN）を送信する（ステップＳ６７０）。
【０１０１】
これを受信した代理登録装置３８は、ＳＩＰサーバ５０に対して携帯電話１９ａの代理登録を要求する（ステップＳ６６０）。
【０１０２】
本実施形態の通信制御システム１００によれば、以下の作用効果を得ることができる。
すなわち、第一実施形態では各構内に設置されていた代理登録装置を、第一構内１０および第二構内２０の外部に配置したことにより、構内の数が多数になった場合も、代理登録装置３８によって統一的に携帯電話の代理登録が可能になる。
【０１０３】
また、本実施形態では、ゲートウェイ装置１３の第一ＩＰアドレス（GW1_IP）と制御装置１５のＩＰアドレス（CU1_IP）、および、ゲートウェイ装置２３の第二ＩＰアドレス（GW2_IP）と制御装置２５のＩＰアドレス（CU2_IP）を、それぞれ関連付けて格納したＩＰアドレステーブルを有するＩＤサーバ７０が設けられている。
これにより、各構内に設置される制御装置１５，２５やゲートウェイ装置１３，２３がリプレースされるなどしてそのＩＰアドレスが変更された場合にも、ＩＤサーバ７０のＩＰアドレステーブルのみを更新すれば、携帯電話の代理登録を継続しておこなうことができる。
【０１０４】
なお、本実施形態は上記態様に限定されるものではなく、その要旨を逸脱しない範囲で各種の変形を許容する。
例えば、上記実施形態では、制御装置１５，２５のＩＰアドレスと、ゲートウェイ装置１３，２３のＩＰアドレスとをＩＰアドレステーブルで関連付けることにより、代理登録装置３８は発呼元の携帯電話の位置を把握している。ただし、本発明においては、これに代えて、制御装置１５，２５に固有の番号（制御装置ＩＤ）を代理登録指示（ステップＳ６３０）において制御装置２５から代理登録装置３８に送信してもよい。
そして、代理登録装置３８は、制御装置ＩＤをＩＤサーバ７０に送信してゲートウェイ情報の問い合わせ（ステップＳ６４０）をおこなってもよい。
【０１０５】
また、ＩＰアドレステーブルおよびＩＤサーバ７０は、代理登録装置３８の内部に設けられてもよい。
【０１０６】
また、本発明は、上記第一および第二実施形態で具体的に説明した態様に限定されるものではなく、その要旨を逸脱しない範囲で様々な変形を許容する。
【０１０７】
例えば、上記各実施形態では、ＳＩＰサーバ５０は一台のみデータ通信網１に接続されているが、本発明についてはこれに限られない。複数台のＳＩＰサーバがそれぞれデータ通信網１に接続されてもよい。この場合、携帯電話からの呼接続要求に含まれる発呼先内線番号の局番に応じて、代理登録装置１８，２８が代理登録するＳＩＰサーバを適宜選択してもよい。
この場合、複数台のＳＩＰサーバには、それぞれ個別に端末登録テーブルを備えていてもよいが、データ通信網１に接続された登録サーバ（図示せず）に端末登録テーブルを格納し、個々のＳＩＰサーバは代理登録要求を受信するたびに登録サーバを参照する方式としてもよい。
【０１０８】
また、上記実施形態では、２つの構内を備える通信制御システム１００について例示したが、３以上の構内を備えてもよい。
【０１０９】
また、上記実施形態では、携帯端末に付与された固有の識別子として外線番号のみを用いているが、本発明はこれに限られない。例えば、ＳＩＰサーバ５０の端末登録テーブルには携帯端末のＩＭＳＩを登録してもよい。そして、携帯端末に割り当てられた内線番号や、対応するゲートウェイ装置１３，２３のＩＰアドレスを、ＩＭＳＩと関連付けて登録しておくとよい。そして、ゲートウェイ装置１３，２３または他のサーバ装置において、携帯端末のＩＭＳＩと外線番号とを関連付ける外線番号テーブルを保有しておくとよい。
この場合、ＳＩＰサーバ５０は、発呼元のＩＰ電話機６０ａ，６０ｂから、発呼先の携帯端末のＩＭＳＩまたは内線番号を含む番号がダイヤルされると発呼要求を受けつける。そしてＳＩＰサーバ５０は、取得したＩＭＳＩをキーとして、または取得した内線番号に基づき端末登録テーブルを参照して検索されたＩＭＳＩをキーとして、当該携帯端末が位置する構内のゲートウェイ装置のＩＰアドレスを検索する。次に、ＳＩＰサーバ５０は、上記の外線番号テーブルを参照して当該携帯端末の外線番号を取得し、対応するゲートウェイ装置のＩＰアドレスに対して、これをあわせて送信するとよい。これにより、ＩＭＳＩを用いて携帯端末とＩＰ電話機との呼接続が確立する。
このように、本実施形態の通信制御システム１００においては、ＳＩＰサーバ５０が備える端末登録テーブルには、携帯端末が着呼を受け付ける外線番号を必ずしも保有している必要はなく、他の識別子によって、ゲートウェイ装置のＩＰアドレスと携帯端末とを関連付けてもよい。
なお、上述した実施形態によれば以下の発明が開示されている。
（付記１）
固有の識別子が付与された回線交換式の携帯端末と、
前記識別子を記憶した呼制御サーバが接続された構内間通信網と、
ＩＰ（Internet Protocol）アドレスが付与されたゲートウェイ装置を介して、前記構内間通信網と接続された構内ネットワークと、
前記ゲートウェイ装置が配置された構内に設置されて、前記構内に位置する前記携帯端末が前記構内ネットワークに無線接続されたことを検知する構内基地局と、
前記構内基地局に検知された前記携帯端末の前記識別子を、前記構内基地局を通じて取得する制御装置と、
前記制御装置が取得した前記識別子と、前記ゲートウェイ装置の前記ＩＰアドレスを、前記構内間通信網を通じて前記呼制御サーバに送信する代理登録装置と、
を備え、
前記呼制御サーバが、前記識別子と、前記ゲートウェイ装置の前記ＩＰアドレスとを関連付けて記憶することを特徴とする通信制御システム。
（付記２）
第二ＩＰアドレスが付与された第二ゲートウェイ装置を介して前記構内間通信網と接続された第二構内ネットワークと、
前記第二ゲートウェイ装置が配置された第二構内に設置されて、前記第二構内に位置する前記携帯端末が前記第二構内ネットワークに無線接続されたことを検知する第二構内基地局と、
前記第二構内基地局に検知された前記携帯端末の前記識別子を、前記第二構内基地局を通じて取得する第二制御装置と、
をさらに有するとともに、
前記携帯端末が前記構内から前記第二構内に移動した場合に、
前記代理登録装置が、前記第二制御装置が取得した前記識別子と、前記第二ゲートウェイ装置の前記第二ＩＰアドレスを、前記構内間通信網を通じて前記呼制御サーバに送信し、
前記呼制御サーバが、前記識別子と関連付けて記憶されていた前記ＩＰアドレスを前記第二ＩＰアドレスに更新することを特徴とする付記１に記載の通信制御システム。
（付記３）
前記呼制御サーバが、前記携帯端末に割り当てられた内線番号と、前記識別子とを関連付けて記憶している付記１または２に記載の通信制御システム。
（付記４）
前記制御装置には、前記構内ネットワークに無線接続された携帯端末を認証するための登録番号が記憶されているとともに、
前記制御装置が、前記認証された携帯端末の識別子を前記代理登録装置に送信することを特徴とする付記１から３のいずれかに記載の通信制御システム。
（付記５）
前記制御装置および前記第二制御装置には、それぞれ個別にＩＰアドレスが付与されているとともに、
前記構内間通信網には、前記ゲートウェイ装置の前記ＩＰアドレスと前記制御装置の前記ＩＰアドレス、および、前記第二ゲートウェイ装置の前記第二ＩＰアドレスと前記第二制御装置の前記ＩＰアドレスを、それぞれ関連付けて格納したＩＰアドレステーブルを有するＩＤサーバが接続されていることを特徴とする付記２に記載の通信制御システム。
（付記６）
付記１に記載の通信制御システムを用いて、前記携帯端末と、ＩＰアドレスが付与されて前記構内間通信網に接続されたＩＰ電話機との間で呼接続を確立する通信制御方法であって、
前記呼制御サーバに、前記携帯端末の識別子と、前記ゲートウェイ装置の前記ＩＰアドレスとを関連付けて登録する登録ステップと、
前記ＩＰ電話機が、発呼先の前記携帯端末の識別子を前記呼制御サーバに送信する発呼ステップと、
前記呼制御サーバが、受信した前記識別子に基づいて前記ゲートウェイ装置の前記ＩＰアドレスを検索する検索ステップと、
前記呼制御サーバが、ＩＰアドレスが検索された前記ゲートウェイ装置に対して、前記ＩＰ電話機との呼接続を要求する接続ステップと、
を含む通信制御方法。
（付記７）
付記１に記載の通信制御システムを用いて、前記携帯端末と、ＩＰアドレスが付与されて前記構内間通信網に接続されたＩＰ電話機との間で呼接続を確立する通信制御方法であって、
前記呼制御サーバに、前記携帯端末の識別子と、前記携帯端末に割り当てられた内線番号と、前記ゲートウェイ装置の前記ＩＰアドレスとを関連付けて登録する登録ステップと、
前記ＩＰ電話機が、発呼先の前記携帯端末の内線番号を前記呼制御サーバに送信する発呼ステップと、
前記呼制御サーバが、受信した前記内線番号に関連付けて記憶された前記ゲートウェイ装置の前記ＩＰアドレスを検索する検索ステップと、
前記呼制御サーバが、ＩＰアドレスが検索された前記ゲートウェイ装置に対して、前記ＩＰ電話機との呼接続を要求する接続ステップと、
を含む通信制御方法。
（付記８）
付記１に記載の通信制御システムを用いて、前記携帯端末と、ＩＰアドレスおよび電話番号が付与されて前記構内間通信網に接続されたＩＰ電話機との間で呼接続を確立する通信制御方法であって、
前記呼制御サーバに、前記携帯端末の識別子と前記ゲートウェイ装置の前記ＩＰアドレスとを関連付けて登録し、前記ＩＰ電話機のＩＰアドレスと前記電話番号とを関連付けて登録する登録ステップと、
前記携帯端末が、特番を付加して発呼先の前記ＩＰ電話機の電話番号を前記ゲートウェイ装置に発呼する発呼ステップと、
前記ゲートウェイ装置が、発呼元である前記携帯端末の識別子と、発呼先である前記ＩＰ電話機の電話番号とを、前記呼制御サーバに送信する要求ステップと、
前記呼制御サーバが、受信した前記ＩＰ電話機の電話番号に関連付けて記憶された前記ＩＰ電話機の前記ＩＰアドレスを検索する検索ステップと、
前記呼制御サーバが、ＩＰアドレスが検索された前記ＩＰ電話機に対して、前記ゲートウェイ装置との呼接続を要求する接続ステップと、
を含む通信制御方法。
（付記９）
付記１に記載の通信制御システムを用いて、二台の前記携帯端末同士の間で呼接続を確立する通信制御方法であって、
前記呼制御サーバに、一の前記携帯端末の識別子と前記一の携帯端末が接続された一の前記ゲートウェイ装置の前記ＩＰアドレスとを関連付けて登録し、他の前記携帯端末の識別子と前記他の携帯端末が接続された他の前記ゲートウェイ装置の前記ＩＰアドレスとを関連付けて登録する登録ステップと、
他の前記携帯端末が、特番を付加して発呼先の前記一の携帯端末の識別子を前記他のゲートウェイ装置に発呼する発呼ステップと、
前記他のゲートウェイ装置が、発呼元である前記他の携帯端末の識別子と、発呼先である前記一の携帯端末の識別子とを、前記呼制御サーバに送信する要求ステップと、
前記呼制御サーバが、受信した前記一の携帯端末の識別子に関連付けて記憶された前記一のゲートウェイ装置の前記ＩＰアドレスを検索する検索ステップと、
前記呼制御サーバが、ＩＰアドレスが検索された前記一のゲートウェイ装置に対して、前記他のゲートウェイ装置との呼接続を要求する接続ステップと、
を含む通信制御方法。
（付記１０）
付記１に記載の通信制御システムを用いて、二台の前記携帯端末同士の間で呼接続を確立する通信制御方法であって、
前記呼制御サーバに、一の前記携帯端末の識別子と前記一の携帯端末に割り当てられた内線番号と前記一の携帯端末が接続された一の前記ゲートウェイ装置の前記ＩＰアドレスとを関連付けて登録し、他の前記携帯端末の識別子と前記他の携帯端末が接続された他の前記ゲートウェイ装置の前記ＩＰアドレスとを関連付けて登録する登録ステップと、
他の前記携帯端末が、特番を付加して発呼先の前記一の携帯端末の内線番号を前記他のゲートウェイ装置に発呼する発呼ステップと、
前記他のゲートウェイ装置が、発呼元である前記他の携帯端末の識別子と、発呼先である前記一の携帯端末の内線番号とを、前記呼制御サーバに送信する要求ステップと、
前記呼制御サーバが、受信した前記内線番号に関連付けて記憶された前記一のゲートウェイ装置の前記ＩＰアドレスを検索する検索ステップと、
前記呼制御サーバが、ＩＰアドレスが検索された前記一のゲートウェイ装置に対して、前記他のゲートウェイ装置との呼接続を要求する接続ステップと、
を含む通信制御方法。
（付記１１）
付記１から５のいずれかに記載の通信制御システムに用いられる代理登録装置であって、
前記構内基地局に検知された前記携帯端末の前記識別子と前記ゲートウェイ装置の前記ＩＰアドレスを、前記構内間通信網を通じて前記呼制御サーバに送信することを特徴とする代理登録装置。
（付記１２）
付記１１に記載の代理登録装置のためのコンピュータプログラムであって、
前記構内基地局に検知された前記携帯端末の前記識別子と前記ゲートウェイ装置の前記ＩＰアドレスを、前記構内間通信網を通じて前記呼制御サーバに送信する処理を前記代理登録装置に実行させるためのコンピュータプログラム。
【図面の簡単な説明】
【０１１０】
【図１】本発明の第一実施形態の通信制御システムの構成を示すブロック図である。
【図２】ＳＩＰサーバが備える端末登録テーブルを示す図である。
【図３】制御装置の機能ブロック図である。
【図４】制御装置による代理登録指示方法を示すフローチャートである。
【図５】代理登録装置による代理登録方法を示すフローチャートである。
【図６】第一構内に位置する携帯電話からＩＰ電話機に発呼する場合の通信制御方法を示すシーケンス図である。
【図７】第二構内に位置する携帯端末にＩＰ電話機から着呼する場合の通信制御方法を示すシーケンス図である。
【図８】本発明の第二実施形態の通信制御システムの構成を示すブロック図である。
【図９】第二構内に位置する携帯端末を代理登録する方法を示すシーケンス図である。
【図１０】ＩＤサーバが有するＩＰアドレステーブルを示す図である。
【図１１】関連する内線無線電話システムのブロック図である。
【符号の説明】
【０１１１】
１                                                データ通信網
３                                                公衆モバイル網
１０                                              第一構内
２０                                              第二構内
９０                                              構内
１１，２１，９１                                  ＰＢＸ
１３，２３，９３                                  ゲートウェイ装置
１５，２５，９５                                  制御装置
１６，２６                                        構内ネットワーク
１７ａ，１７ｂ，２７ａ，２７ｂ，９７ａ，９７ｂ    構内基地局
１８，２８，３８                                  代理登録装置
１９ａ〜１９ｃ，２９ａ，２９ｂ，９９ａ〜９９ｃ    携帯電話
５０                                              ＳＩＰサーバ
６０ａ，６０ｂ                                    ＩＰ電話機
７０                                              ＩＤサーバ
１００                                            通信制御システム
１９０                                            内線無線電話システム
２５１                                            端末情報取得部
２５３                                            記憶部
２５５                                            送信部
【図１】
0005125647.tif 000002
【図２】
0005125647.tif 000003
【図３】
0005125647.tif 000004
【図４】
0005125647.tif 000005
【図５】
0005125647.tif 000006
【図６】
0005125647.tif 000007
【図７】
0005125647.tif 000008
【図８】
0005125647.tif 000009
【図９】
0005125647.tif 000010
【図１０】
0005125647.tif 000011
【図１１】
0005125647.tif 000012